(57)【特許請求の範囲】
【請求項１】
一般に以下の呼称で呼ばれる衣類
（１）スポーツウェア
（２）トレーニングウェア
（３）ジャージ
（４）パーカーウェア
（５）スウェットシャツ
（６）スウェットパンツ
（７）ショートパンツ
（８）（１）〜（７）と同形態のベビー用衣類
において、ズボンのウエスト部、上着の下方の裾部、頭部を覆うフード部に設けられた従来の閉塞されていた調整紐の両出入口間のポケット型通路を、随時適当な間隔で布を取り払い、中を通る紐が露わになる部分を配置し、通路間を通る調整紐を直に手で触って取り扱えるようにした形状、構造の調整紐通しにおいて、露わになった部分を通る調整紐が大きくたるんでしまうことがないように、露わになった部分の紐に平行に、その下部、又は両サイドに、スポンジ等の柔らかい素材を取り付けて布で覆い、その紐の下部又は両サイド部分を紐に平行方向に隆起させて、紐がその隆起した部分に支えられることにより、たるみを防ぐ形状、構造の調整紐通し。
【請求項２】
前記の調整紐通しにおいて、両出入口から内部のポケット型通路へ引き入れていた従来の構造ではなく、表面の布の上に随時適当な数と大きさで筒状の空間を設け、そこに紐を通す事により、通路を通る紐に直に手で触って取り扱えるようにした形状、構造の請求項１に記載の調整紐通し。
【発明の詳細な説明】
【技術分野】
【０００１】
本発明は、一部の衣類が備えている着衣の安定を補助する調整紐の紐通し装備の形状、構造に関する。
【背景技術】
【０００２】
以下の本発明対象衣類
（１）スポーツウェア
（２）トレーニングウェア
（３）ジャージ
（４）パーカーウェア
（５）スウェットシャツ
（６）スウェットパンツ
（７）ショートパンツ
（８）（１）〜（７）と同形態のベビー用衣類
では、通常、ウエスト部、上着の下部の裾部、頭部を覆うフード部に調整紐を設けて、それを引き絞ることで着衣の安定を補助する構造を備えている。
【０００３】
そして従来の調整紐１は入口と出口にそれぞれ1つずつ穴が空いたポケット型通路９の内部に引き入れて通されていた（図１１）（図１２）（図１３）。
【特許文献１】特開2006-52495号公報
【発明の開示】
【発明が解決しようとする課題】
【０００４】
しかし、これでは、消費者が使用するうちにしばしば起こる、誤って片側の穴から片寄って長く調整紐を引き出してしまって、もう片一方の穴では調整紐が穴の中にはいってしまっている場合などに、元の状態に戻すのに非常に困難である。全部調整紐を抜きとってしまった場合はなおさらである。
【０００５】
以上のような事は、着衣の際の誤りだけでなく、洗濯をする際の取扱いの中で引き出てしまったりしていることも考えられるし、その他特定しにくい何らかの原因もあるように思われ、よくあることで不便である。
【０００６】
さらに調整紐を別のものに交換したいときも不便である。そこでこのような課題を解決する形状、構造を提供する。
【課題を解決するための手段】
【０００７】
そこで請求項１の発明では、これまで閉塞されていたポケット型通路９の両出入口間を、随時適当な間隔で表面の布を取り払い、中を通る紐が露わになる部分を配置し、通路間を通る調整紐１を直に手で触って扱えるようにする。（図１）（図５）（図７）
【０００８】
また、請求項２の発明では、調整紐１を両出入口から衣類の内部のポケット型通路９へ引き入れていた従来の構造ではなく、表面の布の上に随時適当な間隔で随時適当な数と大きさで筒状の空間を設け、そこに調整紐１を通す（図２）（図３）（図６）（図８）。
【発明の効果】
【０００９】
よって、本発明の着衣補助用調整紐の装備の形状、構造の改良により、誤って調整紐を片一方に長く引き出してしまったり、引き抜いてしまった場合や、洗濯の際や何らかの理由で間違ってそういった状態になってしまった場合などに、今まで閉塞されていた両出入口間のポケット型通路を通っていた場合と違って、調整紐に直に触わって取り扱えるようになり、元の状態に戻す作業を格段に容易にすることができる。また、調整紐を別の物に取り替えたい場合などにも同じく便利になる。
【発明を実施するための最良の形態】
【００１０】
請求項２の発明を実施する際、露わになった調整紐１が、(図１４）、（図１５）のように下方にたるんでしまったり、（図１６）、（図１７）のように前後にたるんでしまう事がないように、露わになった各部分を通る調整紐に平行して紐の下部（ズボンのウエスト部と上着の裾部の場合）や紐の両サイド（頭部のフードの場合）に、紐に平行して適度な大きさと形状のスポンジ８、８’（図９）（図１０）、またはスポンジに類似する効果のある代替素材を、適当数取り付けて布で覆う。
【００１１】
それによりそれらの各部分が隆起することによって、調整紐がその部分に支えられ、たるんでしまう事を防ぐ。
【００１２】
なぜスポンジかというと、硬度のある素材ではスポーツをする際何かにぶっかった時の衝撃や、家でくつろぐ際、寝転がった時などに痛みやダメージを消費者の体に与えてしまう恐れがある。
【００１３】
ゆえにスポンジの柔らかさが適しており、調整紐の支えとしても十分機能するからである。
【００１４】
この形状、構造は請求項３の発明である。ちなみに請求項３は基本的に形状、構造に関してであるから、使用する素材のスポンジについては、望ましいということであり、代替素材の使用は適宜発明使用者の判断による。
【図面の簡単な説明】
【００１５】
【図１】本発明に係る対象衣類の、ズボンのウエスト部における請求項1の形状、構造の斜視図である。
【図２】本発明に係る対象衣類の、ズボンのウエスト部における請求項２の、適時適当な対処で布を取り付けた部分３を配置した形状、構造の斜視図である。
【図３】本発明に係る対象衣類の、ズボンのウエスト部、上着の下部の裾部、双方における請求項２の、適時適当な対処で布を取り付けた部分３を配置した形状、構造の斜視図であり、図２、図６の布を取り付けた部分３とそこの周囲の拡大図である。
【図４】本発明に係る対象衣類の、ズボンのウエスト部、上着の下部の裾部、双方における請求項２の、適時適当な対処で、裁断時に布を組み入れた部分４を配置した形状、構造の斜視図であり、図３と同程度の拡大サイズである。
【図５】本発明に係る対象衣類の、上着の下部の裾部における請求項１の形状、構造の正面図である。
【図６】本発明に係る対象衣類の、上着の下部の裾部における請求項２の形状、構造の正面図である。
【図７】本発明に係る対象衣類の、上着の頭部を覆うフード部における請求項１の形状、構造の正面図である。ここでは調整紐がフードの縁部分を通る場合。
【図８】本発明に係る対象衣類の、上着の頭部を覆うフード部における請求項２の形状、構造の正面図である。ここでは調整紐がフードの縁部分を通る場合。
【図９】本発明に係る対象衣類の、ズボンのウエスト部、上着の下部の裾部、双方における請求３の、調整紐１のたるみを防ぐ、布で覆われたスポンジ８を取り付けた形状、構造の斜視図である。
【図１０】本発明に係る対象衣類の、上着の頭部を覆うフード部における請求項３の、調整紐１のたるみを防ぐ、布で覆われたスポンジ８、スポンジ８’を取り付けた形状、構造の斜視図であり、図９と同程度の拡大サイズである。ここではフードの頭部側に面した部分に調整紐が通る場合。
【図１１】本発明の対象衣類の、ズボンのウエスト部における従来の着衣安定補助用の調整紐１の装備の形状、構造の正面図である。
【図１２】本発明に係る対象衣類の、上着の下部の裾部における従来の着衣安定補助用の調整紐１の装備の形状、構造の正面図である。
【図１３】本発明に係る対象衣類の、上着の頭部を覆うフード部における従来の着衣安定補助用の調整紐１の装備の形状、構造の正面図である。
【図１４】本発明に係る対象衣類の、ズボンのウエスト部における請求項２の発明の形状、構造において、調整紐1が、下方にたるんだ状態の斜視図。
【図１５】本発明に係る対象衣類の、上着の下部の裾部における請求項２の発明の形状、構造において、調整紐１が、下方にたるんだ状態の正面図。
【図１６】本発明に係る対象衣類の、上着のフード部における請求項２の発明の形状、構造において、調整紐１が、前方にたるんだ状態の斜視図。ここでは調整紐がフードの外気側に面した部分を通っている場合。
【図１７】本発明に係る対象衣類の、上着のフード部における請求項２の発明の形状、構造において、調整紐１が、後方にたるんだ状態の斜視図。ここでは調整紐がフードの外気側に面した部分を通る場合。
【符号の説明】
【００１６】
１  調整紐
２  (請求項１タイプの）布を取り払った通路部分
３  (請求項２タイプの）布を取り付けた通路部分
４  (請求項２タイプの）裁断時に布を組み入れた通路部分
５  本発明対象衣類のズボン
６  本発明対照衣類の上着
７  本発明対照衣類の頭部のフード部
８、８’  (請求項3における〉布で覆われたスポンジ
９  (本発明対象衣類における〉従来のポケット型通路
１０  下方にたるんだ調整紐１
１１  前方にたるんだ調整紐１
１２  後方にたるんだ調整紐１
【図１】
0004590425.tif 000002
【図２】
0004590425.tif 000003
【図３】
0004590425.tif 000004
【図４】
0004590425.tif 000005
【図５】
0004590425.tif 000006
【図６】
0004590425.tif 000007
【図７】
0004590425.tif 000008
【図８】
0004590425.tif 000009
【図９】
0004590425.tif 000010
【図１０】
0004590425.tif 000011
【図１１】
0004590425.tif 000012
【図１２】
0004590425.tif 000013
【図１３】
0004590425.tif 000014
【図１４】
0004590425.tif 000015
【図１５】
0004590425.tif 000016
【図１６】
0004590425.tif 000017
【図１７】
0004590425.tif 000018